(57)【特許請求の範囲】
【請求項１】
複数の被包装物品が整列集合されて構成された被包装物品集合体と、
前記被包装物品集合体を包装する包装フィルムと、を備え、
前記包装フィルムは、天面、底面、及び側面を有し、
前記被包装物品が、ロール状ペーパーであり、
前記包装フィルムの側面には、天面側に開封用の切込線が形成されており、
前記切込線のそれぞれの端部が、前記天面に対して平行に延び、且つ、前記切込線の中央部が、前記包装フィルムの底面側に向けて凸となるように折れ曲がって又は湾曲して形成されている包装体であって、
前記包装フィルムの前記側面が、前記天面及び前記底面と連接する４つの面を有し、
前記切込線の前記端部が、前記４つの面のうち互いに平行な２つの面にそれぞれ形成され、且つ、前記切込線の前記中央部が、前記平行な２つの面に隣接する一の面であって、前記包装体の正面に形成され、
前記包装フィルムの前記天面上を橋渡しするように設けられた帯状の把手部を更に備え、前記把手部のそれぞれの端部が、前記包装フィルムの前記切込線の前記端部が形成された面の、前記切込線の前記端部の一部と重なる位置、又は前記切込線の前記端部の延長線上に接合されている包装体。
【請求項２】
前記切込線の前記中央部が、前記被包装物品集合体の最上段に配置された１個の前記被包装物品の高さ以内の範囲において、前記包装フィルムの前記底面側に向けて凸となるように折れ曲がって又は湾曲して形成されている請求項１に記載の包装体。
【請求項３】
前記切込線のそれぞれの前記端部が、前記被包装物品集合体の最上段に配置された１個の前記被包装物品の幅以内の範囲において、前記天面に対して平行に延びて形成されている請求項１又は２に記載の包装体。
【発明の詳細な説明】
【技術分野】
【０００１】
本発明は、複数のロール状ペーパーを包装した包装体に関する。更に詳しくは、被包装物品の取り出しが容易で、且つ、包装体を開封した後、包装体内に収納された被包装物品に、埃等の汚れが付着し難い包装体に関する。
【背景技術】
【０００２】
従来、トイレットペーパーやペーパータオル等のロール状ペーパーなどの被包装物品は、複数の被包装物品が一つの集合体（被包装物品集合体）としてまとめられて販売されている。このとき、被包装物品集合体は、保管や運搬する際の利便性を向上させる目的、また、被包装物品を雨水や埃などの汚れから保護する目的で、透光性の樹脂フィルムなどの包装フィルムによって包装されている（例えば、特許文献１〜３参照）。
【０００３】
例えば、ロール状ペーパーなどの被包装物品は、図９に示すように、複数個の被包装物品２０１が、複数段積み重ねられた状態（図９においては、４個×３段）で、包装フィルム２２０によって包装されている。ここで、図９は、従来の包装体２００を模式的に示す斜視図である。
【０００４】
従来の包装体においては、包装フィルムを開封するための開封口等が設けられていないことがあった。このような包装体においては、包装フィルムの天面側を、手や鋏等で破り、その破り口を取出口としていた。しかし、このような方法で取出口を形成した場合には、取出口の形状が不揃いとなり、被包装物品が取り出し難いことがあった。
【０００５】
特許文献１〜３には、包装体を構成する包装フィルムに、ミシン目等の切込線を設けて、切込線を破断することによって、被包装物品を取り出すための取出口を形成する技術について記載されている。
【先行技術文献】
【特許文献】
【０００６】
【特許文献１】特開２００９−３５３２３号公報
【特許文献２】特許第３１５３５２８号公報
【特許文献３】特開２００３−１０４４４９号公報
【発明の概要】
【発明が解決しようとする課題】
【０００７】
しかしながら、特許文献１に記載された包装体においては、包装体から一の被包装物品を取り出した後には、包装フィルムに、被包装物品を取り出し得る大きさの取出口が形成され、その取出口が常時開口した状態となる。このため、上記取出口から、包装体内に埃等が侵入し、未使用の状態で保管される被包装物品に、汚れが付着してしまうという問題があった。
【０００８】
例えば、ロール状ペーパー等の被包装物品が包装された包装体においては、包装された複数個の被包装物品が一度に使用されることは極めて稀である。このため、直ぐに使用されない被包装物品は、包装フィルム内に収納（包装）された状態で、適宜保管されることとなる。取出口が常時開口した状態の包装体が保管されていると、上記取出口等から、埃等が簡単に侵入してしまう。
【０００９】
特に、トイレットペーパーやキッチンペーパー等のロール状ペーパーにおいては、包装フィルムによって包装された物品を使用する際には、その物品が使用者と直に接触することとなる。例えば、包装体から取り出したばかりの新しい物品に、埃等の汚れが付着していると、その物品を使用する使用者に不快な気分を与えることがある。また、衛生面からも、未使用の被包装物品に汚れが付着することは好ましくない。
【００１０】
本発明は、このような従来技術の有する問題点に鑑みてなされたものであり、被包装物品の取り出しが容易で、且つ、包装体を開封した後、包装体内に収納された被包装物品に、埃等の汚れが付着し難い包装体を提供する。
【課題を解決するための手段】
【００１１】
本発明によれば、以下に示す包装体が提供される。
【００１２】
［１］  複数の被包装物品が整列集合されて構成された被包装物品集合体と、前記被包装物品集合体を包装する包装フィルムと、を備え、前記包装フィルムは、天面、底面、及び側面を有し、前記被包装物品が、ロール状ペーパーであり、前記包装フィルムの側面には、天面側に開封用の切込線が形成されており、前記切込線のそれぞれの端部が、前記天面に対して平行に延び、且つ、前記切込線の中央部が、前記包装フィルムの底面側に向けて凸となるように折れ曲がって又は湾曲して形成されている包装体であって、前記包装フィルムの前記側面が、前記天面及び前記底面と連接する４つの面を有し、前記切込線の前記端部が、前記４つの面のうち互いに平行な２つの面にそれぞれ形成され、且つ、前記切込線の前記中央部が、前記平行な２つの面に隣接する一の面であって、前記包装体の正面に形成され、前記包装フィルムの前記天面上を橋渡しするように設けられた帯状の把手部を更に備え、前記把手部のそれぞれの端部が、前記包装フィルムの前記切込線の前記端部が形成された面の、前記切込線の前記端部の一部と重なる位置、又は前記切込線の前記端部の延長線上に接合されている包装体。
【００１４】
［２］  前記切込線の前記中央部が、前記被包装物品集合体の最上段に配置された１個の前記被包装物品の高さ以内の範囲において、前記包装フィルムの前記底面側に向けて凸となるように折れ曲がって又は湾曲して形成されている前記［１］に記載の包装体。
【００１５】
［３］  前記切込線のそれぞれの前記端部が、前記被包装物品集合体の最上段に配置された１個の前記被包装物品の幅以内の範囲において、前記天面に対して平行に延びて形成されている前記［１］又は［２］に記載の包装体。
【発明の効果】
【００１７】
本発明の包装体は、複数のロール状ペーパーが整列集合されて構成された被包装物品集合体と、この被包装物品集合体を包装する包装フィルムと、を備えた包装体である。そして、本発明の包装体においては、包装フィルムの側面には、天面側に開封用の切込線が形成されており、この切込線のそれぞれの端部が、包装フィルムの天面に対して平行に延び、且つ、切込線の中央部が、包装フィルムの底面側に向けて凸となるように折れ曲がって又は湾曲して形成されている。本発明の包装体においては、上記切込線を破断することによって、包装体の取出口を形成することができる。このため、包装体からの被包装物品の取り出しが容易である。更に、本発明の包装体においては、切込線によって囲われた包装フィルムの一部が、取出口を覆うための蓋になる。このため、一の被包装物品を包装体から取り出し、残りの被包装物品が収納（包装）された状態で、当該包装体を保管した場合に、包装体内への埃等の侵入を有効に防止することができる。これにより、包装体内に収納された被包装物品に、汚れが付着するのを有効に防ぐことができる。
【図面の簡単な説明】
【００１８】
【図１】包装体の一の実施形態を模式的に示す斜視図である。
【図２】図１に示す包装体の切込線を破断して、包装体を開封した状態を模式的に示す斜視図である。
【図３】図２に示す包装体から、一の被包装物品を取り出した状態を模式的に示す斜視図である。
【図４】包装体の他の実施形態を模式的に示す斜視図である。
【図５】図４に示す包装体の切込線を破断して、包装体を開封した状態を模式的に示す斜視図である。
【図６】図５に示す包装体から、一の被包装物品を取り出した状態を模式的に示す斜視図である。
【図７】本発明の包装体の更に他の実施形態を模式的に示す斜視図である。
【図８】包装体の更に他の実施形態を模式的に示す斜視図である。
【図９】従来の包装体を模式的に示す斜視図である。
【発明を実施するための形態】
【００１９】
以下、本発明を実施するための形態について説明するが、本発明は以下の実施の形態に限定されるものではない。即ち、本発明の趣旨を逸脱しない範囲で、当業者の通常の知識に基づいて、以下の実施の形態に対し適宜変更、改良等が加えられたものも本発明の範囲に属することが理解されるべきである。
【００２０】
［１］包装体：
包装体の一の実施形態は、図１に示すように、複数の被包装物品１が整列集合されて構成された被包装物品集合体１０と、被包装物品集合体１０を包装する包装フィルム２０と、を備えた包装体１００である。本実施形態の包装体１００においては、上記被包装物品１が、ロール状ペーパーである。図１は、包装体の一の実施形態を模式的に示す斜視図である。
【００２１】
そして、本実施形態の包装体１００においては、包装フィルム２０の側面２６には、天面２７側に開封用の切込線３０が形成されている。そして、この開封用の切込線３０のそれぞれの端部３０ａ，３０ａが、天面２７に対して平行に延び、且つ、切込線３０の中央部３０ｂが、包装フィルム２０の底面２８側に向けて凸となるように折れ曲がって又は湾曲して形成されている。
【００２２】
本実施形態の包装体１００においては、上記切込線３０を破断することによって、図２に示すように、包装体１００の取出口４０を形成することができる。このため、包装体１００からの被包装物品１の取り出しが非常に容易である。
【００２３】
更に、本実施形態の包装体１００においては、図１〜図３に示すように、切込線３０によって囲われた包装フィルム２０の一部が、取出口４０を覆うための蓋となる。即ち、包装フィルム２０の底面２８側に向けて凸となるように破断された部位が、包装体１００の取出口４０を覆うように垂れ下がり、包装体１００の取出口４０を塞ぐことができる。このため、一の被包装物品１ａを包装体１００から取り出した後、残りの被包装物品１が収納（包装）された状態で、この包装体１００を保管した場合に、包装体１００内への埃等の侵入を有効に防止することができる。これにより、包装体１００内に収納された被包装物品１（即ち、包装体１００を開封後、直ちに使用することなく保管される被包装物品１）に、汚れが付着するのを防ぐことができる。
【００２４】
ここで、図２は、図１に示す包装体の切込線を破断して、包装体を開封した状態を模式的に示す斜視図である。図３は、図２に示す包装体から、一の被包装物品を取り出した状態を模式的に示す斜視図である。図２及び図３の包装体において、図１に示した各要素と共通する要素については、図１と同一の符号を付して説明を省略する。
【００２５】
なお、開封用の切込線は、部分的につながりを有するミシン目状のものであってもよいし、直線状の切れ目（スリット）であってもよい。また、包装業界でジッパーと呼称されている切れ目が鉤形に屈曲した開封用破断線（包装産業の周知・慣用技術集第２８１頁参照、昭和５３年１２月２０日特許庁発行）や、二重線のミシン目であってもよい。即ち、本実施形態の包装体においては、上記開封用の切込線を破断することにより、包装体を開封し、切込線の形状に沿った取出口を形成することができればよい。
【００２６】
従来の包装体において、包装フィルムを指等により破って開封した場合には、被包装物品を取り出し得る大きさの取出口が常時開口した状態となる。このため、包装体内に埃等が侵入し、未使用の被包装物品が汚れてしまうことがある。また、従来、包装フィルムに開封用の切込線が形成された包装体も提案されているが、このような切込線は、包装フィルムの天面や側面が常時開放された状態となっていたため、上述した従来の包装体と同様に、包装体内への埃等の侵入を防止することはできなかった。
【００２７】
図１〜図３に示すように、本実施形態の包装体１００においては、「包装フィルム２０の底面２８側に向けて凸となるように折れ曲がって又は湾曲して形成された開封用の切込線３０」を破断することにより、包装体１００を極めて簡便に開封することができるとともに、開封した取出口４０から、一の被包装物品１ａを簡便に取り出すことができる。更に、包装フィルム２０の底面２８側に向けて凸となるように破断された部位が、重力作用により、取出口４０を覆うように自然と垂れ下がるため、包装体１００の取出口４０を良好に塞ぐことができる。
【００２８】
［１−１］包装フィルム：
包装フィルムは、被包装物品集合体を包装するフィルムである。このようなフィルムによると、被包装物品の持ち運びが容易であるという利点がある。また、複数個の被包装物品からなる被包装物品集合体を包装する際に、簡便な操作によって包装することができる。
【００２９】
包装フィルムの材質については特に制限はなく、通常、包装用のフィルムなどとして使用されるポリエチレン、ポリプロピレン等の樹脂を用いることができる。中でも、延伸性や強度の面で、ポリエチレンが好ましい。包装フィルムの厚さは、被包装物品の種類や質量によっても異なるが、例えば、トイレットペーパー、ペーパータオルなどの場合、３０〜９０μｍとすることが好ましい。
【００３０】
包装フィルムの側面には、天面側に開封用の切込線が形成されている。図１〜図３に示す包装体１００においては、切込線３０の中央部３０ｂが、包装フィルム２０の底面２８側に向けて凸となるように折れ曲がって形成された場合の例を示す。図１〜図３に示す包装体１００においては、上記切込線３０の中央部３０ｂが、底面２８側に向けて「Ｖ字状」に形成されている。
【００３１】
本発明の包装体においては、図４〜図６に示すように、開封用の切込線３１のそれぞれの端部３１ａ，３１ａが、天面２７に対して平行に延び、且つ、この切込線３１の中央部３１ｂが、包装フィルム２０の底面２８側に向けて凸となるように湾曲して形成されていてもよい。図４〜図６に示す包装体１０１においては、上記切込線３１の中央部３１ｂが、底面２８側に向けて「Ｕ字状」に形成されている。
【００３２】
ここで、図４は、包装体の他の実施形態を模式的に示す斜視図である。図５は、図４に示す包装体の切込線を破断して、包装体を開封した状態を模式的に示す斜視図である。図６は、図５に示す包装体から、一の被包装物品を取り出した状態を模式的に示す斜視図である。図４〜図６の包装体１０１において、図１に示した各要素と共通する要素については、図１と同一の符号を付して説明を省略する。
【００３３】
このように、本発明の包装体においては、切込線の中央部が、包装フィルムの底面側に向けて凸となるように形成され、包装フィルムの切込線によって破断された部位が、重力作用により、取出口を覆うように垂れ下がるように構成されていれば、切込線の形状（即ち、底面側に向けて凸となる形状）については特に制限はない。
【００３４】
図１〜図３に示す包装体１００においては、包装フィルム２０の側面２６が、天面２７及び底面２８と連接する４つの面２６ａ，２６ｂ，２６ｃ，２６ｄを有している。本実施形態の包装体１００においては、切込線３０のそれぞれの端部３０ａ，３０ａが、上記４つの面２６ａ，２６ｂ，２６ｃ，２６ｄのうち互いに平行な２つの面（図１〜図３においては、面２６ｂと面２６ｄ）にそれぞれ形成され、切込線３０の中央部３０ｂが、上記平行な２つの面２６ｂ，２６ｄに隣接する一の面（図１〜図３においては、面２６ａ）に形成されている。このように構成することによって、包装体１００に形成された取出口４０からの、被包装物品１の取り出しが良好となる。即ち、切込線３０の中央部３０ｂが形成される面２６ａを、包装体１００の正面とすることで、取出口４０の開閉が極めて容易となる。
【００３５】
また、切込線３０の中央部３０ｂの底面２８側に向けて凸となる部分は、上述した平行な２つの面２６ｂ，２６ｄに隣接する一の面２６ａの幅全域に形成されていることが好ましい。これにより、取出口４０の大きさが十分に確保され、被包装物品１を順次１個ずつ良好に取り出すことができる。
【００３６】
また、切込線の中央部における底面側に向けて凸となる部分の、包装体の高さ方向の長さについては特に制限はない。但し、上記凸となる部分の、包装体の高さ方向の長さが短すぎると、被包装物品が取り出し難くなることがある。一方、上記凸となる部分の、包装体の高さ方向の長さが長すぎると、包装フィルムが型崩れしたり、取出口を覆う垂れ下がり部分が大きくなりすぎて、取出口を覆う際に隙間等ができ易くなったりすることがある。なお、「包装体の高さ方向」とは、包装体の天面から底面に向かう方向のことを意味する。従って、「包装体の高さ方向の長さ」は、包装体の天面から底面に向かう方向の長さのことである。また、本明細書においては、本実施形態の包装体を、底面が下向きになるように配置した場合における、包装体の天面から底面に向かう方向の長さ（即ち、上記配置状態における鉛直方向の長さ）を、単に「高さ」ということがある。
【００３７】
図１〜図３に示すように、本実施形態の包装体１００においては、切込線３０の中央部３０ｂが、被包装物品集合体１０の最上段に配置された１個の被包装物品１の高さ以内の範囲において、包装フィルム２０の底面２８側に向けて凸となるように折れ曲がって又は湾曲して形成されていることが好ましい。このように構成することによって、被包装物品１を取り出すのに適当な大きさの取出口４０を形成することができる。更に、この取出口４０からの埃等の侵入もより有効に防止することができる。また、切込線３０の底面側に向けて凸となる部分は、最上段に配置された１個の被包装物品１の高さの１／２以上の範囲まで形成されていることが更に好ましい。このように構成することによって、包装体１００を開封した際に、被包装物品１の取り出しが非常に容易となる。また、開口部４０を覆うように垂れ下がる部分（即ち、切込線３０の凸となる部分）の長さを十分に確保することができ、開口部４０に蓋をする効果を良好に得ることができる。
【００３８】
また、天面に対して平行に延びる切込線のそれぞれの端部の長さについても特に制限はない。但し、切込線のそれぞれの端部の長さが短すぎると、被包装物品が取り出し難くなることがある。図１〜図３に示すように、本実施形態の包装体１００においては、切込線３０のそれぞれの端部３０ａ，３０ａが、被包装物品集合体１０の最上段に配置された１個の被包装物品１の幅以内の範囲において、天面２７に対して平行に延びて形成されていることが好ましい。このように構成することによって、被包装物品１を１個ずつ良好に取り出すことができる。「被包装物品の幅」とは、被包装物品の高さ方向に直交する方向における、被包装物品の長さのことである。即ち、上記構成における「被包装物品１の幅」は、切込線３０の両端部３０ａ，３０ａが延びる方向における、被包装物品の長さである。図１〜図３において、被包装物品１の幅は、ロール状の被包装物品１の端面における直径の長さとなる。
【００３９】
また、本実施形態の包装体においては、図７に示すように、包装フィルム２０の天面２７上を橋渡しするように設けられた帯状の把手部２９を更に備えていてもよい。このような把手部２９を備えた包装体１０２は、運搬が容易である。更に、このような把手部２９を備えたものの場合には、把手部２９のそれぞれの端部が、包装フィルム２０の切込線３０の端部３０ａ，３０ａが形成された面（側面２６）にそれぞれ接合されていることが好ましい。更に、把手部２９のそれぞれの端部が、包装フィルム２０の切込線３０の両端部３０ａ，３０ａが形成された平行な２つの面２６ｂ，２６ｄに接合されていることがより好ましい。把手部２９の両端部が、切込線３０の両端部３０ａ，３０ａが形成された面２６ｂ，２６ｄに接合されていると、切込線３０を破断した際に、把手部２９の接合部分によって、切込線３０の端縁からの裂けや破れを有効に防止することができる。特に、把手部２９のそれぞれの端部が、包装フィルム２０の切込線３０の端部３０ａが形成された面の、切込線の端部３０ａの一部と重なる位置、又は切込線３０の端部３０ａの延長線上に接合されていることがより好ましい。樹脂製のフィルムからなる包装フィルム２０においては、切込線３０を破断して包装体１０２を開封した際に、勢い余って包装フィルム２０が切込線３０を越えて簡単に破れてしまうことがある。把手部２９のそれぞれの端部を、切込線３０の端部３０ａ，３０ａの一部と重なるように包装フィルム２０に接合することによって、包装フィルム２０の裂け等を、把手部２９の端部の接合部分によって食い止めることができる。また、把手部２９のそれぞれの端部が、切込線３０の延長線上に接合されている場合においても、切込線３０を越えて包装フィルム２０が破れてしまった際に、把手部２９の端部の接合部分によって、包装フィルム２０の破れを食い止めることができる。ここで、図７は、本発明の包装体の更に他の実施形態を模式的に示す斜視図である。図７の包装体１０２において、図１に示した各要素と共通する要素については、図１と同一の符号を付して説明を省略する。
【００４０】
被包装物品集合体を包装する方法としては、例えば、キャラメルやタバコのパッケージ包装で汎用される包装方法（いわゆるキャラメル包装）や、両側縁を谷折りにしたガゼット構造を有する長尺チューブ状のフィルム（ガゼットチューブシール袋）を用いて包装する方法等を採用することができる。図１〜図３に示す包装体１００は、被包装物品集合体１０が、包装フィルム２０によってキャラメル包装されている場合の例を示す。図８に示す包装体１０３は、被包装物品集合体１０が、ガゼット構造を有する長尺チューブ状の包装フィルム２１によって包装されている場合の例を示す。ここで、図８は、包装体の更に他の実施形態を模式的に示す斜視図である。図８の包装体１０３において、図１に示した各要素と共通する要素については、図１と同一の符号を付して説明を省略する。以下、「ガゼット構造を有する長尺チューブ状の包装フィルム２１」のことを、単に「ガゼット構造の包装フィルム２１」ということがある。
【００４１】
図８に示す包装体１０３は、両側縁を谷折りにしたガゼット構造を有する長尺チューブ状の包装フィルム２１を用いて、複数の被包装物品１が整列集合されて構成された被包装物品集合体１０を包装している以外は、これまでに説明した本実施形態の包装体（例えば、図１に示す包装体１００）と同様の構成を採用することができる。即ち、ガゼット構造の包装フィルム２１によって包装された包装体１０３においても、包装フィルム２１の側面２６には、天面２７側に開封用の切込線３１が形成され、この開封用の切込線３１のそれぞれの端部３１ａ，３１ａが、天面２７に対して平行に延び、且つ、切込線３１の中央部３１ｂが、包装フィルム２１の底面２８側に向けて凸となるように折れ曲がって又は湾曲して形成されている。図８においては、切込線３１の中央部３１ｂが、包装フィルム２１の底面２８側に向けて凸となるように湾曲して形成された場合の例を示す。
【００４２】
図８に示す包装体１０３においては、長尺チューブ状の包装フィルム２１に、把手部３９が形成されている。把手部３９については、従来公知のガゼット構造の包装フィルムにおける把手部の構成を採用することができる。
【００４３】
図８に示すように、包装フィルム２１が、ガゼット構造の包装フィルム２１の場合には、包装フィルム２１の谷折りにした面に、切込線３１の両端部３１ａ，３１ａが形成され、包装フィルム２１の谷折り等の無い面に、切込線３１の中央部３１ｂが形成されていることが好ましい。このように構成することによって、ガゼット構造の包装フィルム２１に把手部３９が形成されている場合に、把手部３９に対して正面となる面に、包装体１０３の取出口が形成されることとなる。これにより、包装体１０３からの被包装物品１の取り出しが容易になる。把手部３９に対して正面となる面とは、把手部３９の持ち手の延びる方向に平行な面のことをいう。通常、把手部３９を掴んで包装体１０３を移動し、その包装体１０３を載置した場合には、上記「把手部３９の持ち手の延びる方向に平行な面」が、包装体１０３の正面となる（即ち、搬送者と対面する面となる）。
【００４４】
［１−２］被包装物品集合体：
被包装物品集合体は、複数の被包装物品が整列集合されて構成されたものである。被包装物品としては、例えば、トイレットペーパー、ペーパータオルなどのロール状ペーパーを挙げることができる。
【００４５】
被包装物品集合体を構成する被包装物品の数は、複数であれば特に制限はない。例えば、トイレットペーパーの場合であれば、１２個であることが多く、ペーパータオルの場合であれば、２個又は４個であることが多い。例えば、１２個の被包装物品により、被包装物品集合体が構成される場合には、平面上において縦方向に２個及び横方向に２個、整列集合した４個の被包装物品が、高さ方向に３段積み重ねられたものを挙げることができる。上述した、縦方向、横方向、高さ方向における被包装物品の数についても特に制限はない。
【００４６】
例えば、図１に示す包装体１００は、１２個のトイレットペーパー（被包装物品１）が整列集合されて構成された被包装物品集合体１０を備えている例である。本実施形態の包装体においては、被包装物品集合体が、少なくとも２段以上に被包装物品が積み重ねられたものであることが好ましい。
【００４７】
［２］包装体の製造方法：
次に、包装体の製造方法について、図１に示す包装体１００を製造する場合を例に説明する。
【００４８】
まず、被包装物品を整列集合させて被包装物品集合体を得る。図１に示す包装体１００を製造する際には、１２個（４個×３段）の被包装物品１が整列集合されて構成された被包装物品集合体１０を得る。被包装物品集合体を得る方法としては、従来公知の包装体の製造方法を挙げることができる。
【００４９】
次に、被包装物品集合体を包装するための包装フィルムを用意する。キャラメル包装により、被包装物品集合体を包装する際には、長尺状のフィルムが捲回された包装フィルムロールから、包装フィルムを供給することが好ましい。
【００５０】
このような包装フィルム上に、被包装物品集合体を載置して、キャラメル包装によって被包装物品集合体を包装する。本発明の包装体は、包装フィルムの側面における天面側に、所定の形状の開封用の切込線が形成されたものであるため、上記包装フィルムに対して、開封用の切込線を適宜形成する。開封用の切込線は、被包装物品集合体を包装する前に、包装フィルムに形成することが好ましい。このように構成することによって、切込線を形成する際に、被包装物品に傷が付くのを有効に防止することができる。このようにして、図１に示すような包装体１００を製造することができる。
【００５１】
また、図７に示すように、包装フィルム２０の天面２７上を橋渡しするように、帯状の把手部２９を取り付けてもよい。把手部２９を取り付ける際には、把手部２９の両端部を、包装フィルム２０の切込線３０の両端部３０ａ，３０ａが形成された２つの面２６ｂ，２６ｄに接合することが好ましい。
【００５２】
また、図８に示す包装体１０３のような、ガゼット構造の包装フィルム２１によって、被包装物品集合体１０を包装する際には、ガゼット構造を有する長尺チューブ状の包装フィルムを用意し、長尺チューブ状の包装フィルム内に、被包装物品集合体１０を収納し、包装フィルムの両端部を封着する。このようなガゼット構造の場合においても、被包装物品集合体を収納する前に、包装フィルムに開封用の切込線を適宜形成することが好ましい。
【００５３】
切込線の形成方法については、特に制限はない。例えば、ミシン目刃を有する破断部材を、包装フィルム上に載置し、包装フィルム上を移動させることにより、所定の切込線を形成することができる。また、包装フィルムの切込線を形成する箇所に対して、打ち抜き加工を行うことによって、切込線を形成することもできる。
【００５４】
また、開封用の切込線によって包装体に取出口を形成し、且つ、この開封用の切込線によって切り取られた部分を、重力作用により取出口の蓋として用いることが可能な切込線としては、以下に示すような構成の切込線を挙げることができる。上記開封用の切込線としては、包装体の側面に形成された切込線であって、天面側に非破断部分を有する円状の切込線を挙げることができる。このように構成された切込線によれば、ミシン目等によって形成された切込線を破断することにより、包装体の側面に、円形の取出口を形成することができる。そして、この切込線には、天面側に非破断部分が形成されているため、切込線によって円形に切り抜かれた部分が、開閉可能な蓋となる。即ち、円形に切り抜かれた部分が、天面側の非破断部分によってぶら下がった状態となる。
【００５５】
このような円形の切込線が形成された包装体においては、円状の切込線の大きさが、被包装物品１個を取り出すことが可能な大きさであることが好ましい。例えば、被包装物品がトイレットペーパーの場合には、円状の切込線によって形成される取出口が、１個のトイレットペーパーを取り出すのに適切な大きさとなるように、円状の切込線の大きさを適宜決定することが好ましい。
【００５６】
また、上記構成の包装体において、被包装物品が複数段積み重ねられたものの場合には、円状の切込線が、包装物品集合体の最下段の被包装物品１個分よりも、側面の高い位置に形成されていることが好ましい。これにより、埃等の汚れの侵入を有効に防止することができる。また、円状の切込線が、最上段の被包装物品１個分よりも、側面の低い位置に形成されていることが好ましい。これにより、包装体の天面側に配置された把手部（持ち手）を引っ張った際に、不用意に切込線が破断してしまうことを有効に防止することができる。
【産業上の利用可能性】
【００５７】
本発明の包装体は、複数のロール状ペーパーからなる被包装物品集合体を包装した包装体として利用することができる。
【符号の説明】
【００５８】
１、１ａ、２０１：被包装物品、１０：被包装物品集合体、２０、２１、２２０：包装フィルム、２６：側面、２７：天面、２８：底面、２９，３９：把手部、３０、３１：切込線、３０ａ、３１ａ：切込線の端部、３０ｂ、３１ｂ：切込線の中央部、４０：取出口、１００、１０１、１０２、１０３、２００：包装体。
【図１】
0005874296.tif 000002
【図２】
0005874296.tif 000003
【図３】
0005874296.tif 000004
【図４】
0005874296.tif 000005
【図５】
0005874296.tif 000006
【図６】
0005874296.tif 000007
【図７】
0005874296.tif 000008
【図８】
0005874296.tif 000009
【図９】
0005874296.tif 000010